(57)【要約】本発明は、ブリスタ包装（２０）を収容するための手段と、ブリスタ包装から錠剤（２１）を押し出すための手段と、服用時間を設定するための手段と、服用時間を表示するための手段とを有する、丸薬、糖衣錠等の形態も含む錠剤を放出するための装置（１、１’）に関する。本発明によれば、装置（１、１’）は、下部（１１、１０１）と、下部（１１）と取り外し可能に結合される、ブリスタ包装（２０）を収容するためのカバー（１２、１０２）と、ブリスタ包装（２０）から錠剤（２１）を押し出すための手段（１８、４３）とを備え、手段（１８、４１）の配列は、収容すべきブリスタ包装（２０）内の錠剤（２１）の配列に適合されることが意図される。さらに、本発明は、このような装置用のカバー（１２、１０２）および下部（１１、１０１）に関する。
2005522300.tif 000002
【特許請求の範囲】
【請求項１】
ブリスタ包装（２０）を収容するための手段と、前記ブリスタ包装から錠剤（２１）を押し出すための手段と、服用時間を設定するための手段と、服用時間を表示するための手段とを有する、丸薬、糖衣錠等の形態も含む錠剤を放出するための装置（１、１’）において、
前記装置（１、１’）が、下部（１１、１０１）と、前記下部（１１）と取り外し可能に結合される、前記ブリスタ包装（２０）を収容するためのカバー（１２、１０２）と、前記ブリスタ包装（２０）から前記錠剤（２１）を押し出すための手段（１８、４３）とを備え、それによって、前記手段（１８、４１）の配列が、前記収容すべきブリスタ包装（２０）内の錠剤（２１）の配列に適合されることを特徴とする装置（１、１’）。
【請求項２】
前記カバー（１２、１０２）が、センタリングされた孔（１４、４２）を有する切欠き（１３、４１）を備え、前記切欠き内に押しボタン（１８、４３）が紛失しないように収容されることを特徴とする、請求項１に記載の装置。
【請求項３】
前記下部（１１）が少なくとも１つの支持部（１５）を備えることを特徴とする、請求項１または２に記載の装置。
【請求項４】
孔（１７）を有する格子またはストレーナ（１６）が設けられ、前記孔の配列が前記手段（１８、４３）の配列に対応することを特徴とする、請求項１〜３のいずれか１項に記載の装置。
【請求項５】
前記格子またはストレーナ（１６）が前記下部（１１、１０１）に設けられることを特徴とする、請求項４に記載の装置。
【請求項６】
前記格子またはストレーナ（１６）が前記カバー（１２、１０２）に設けられることを特徴とする、請求項４に記載の装置。
【請求項７】
前記下部（１１、１０１）が放出空間（１１’）と放出開口部１１”とを備えることを特徴とする、請求項１〜６のいずれか１項に記載の装置。
【請求項８】
前記手段（１８、４３）が少なくとも１つの照明要素（４３’、４３”）を備えることを特徴とする、請求項１〜７のいずれか１項に記載の装置。
【請求項９】
前記手段（１８、４３）が透明の導光プラスチックから成ることを特徴とする、請求項１〜８のいずれか１項に記載の装置。
【請求項１０】
前記下部（１１、１０１）または前記カバー（１２、１０２）が、表示装置（１０３）、好ましくはＬＣＤ表示器またはＬＥＤ表示器、ならびに少なくとも１つのプログラムボタンおよび／または表示ボタン（１０４、１０４’、１０５、１０５’）を備えることを特徴とする、請求項１〜９のいずれか１項に記載の装置。
【請求項１１】
前記カバー（１２、１０２）の内側に、孔を有するボード（３０）が設けられ、前記孔の配列が前記手段（１８、４３）の配列に対応することを特徴とする、先行請求項のいずれか１項に記載の装置。
【請求項１２】
前記ボード（３０）が、錠剤（２１）の服用サイクルをプログラミングするために、かつ錠剤の取り出しを認識するために設けられることを特徴とする、請求項１１に記載の装置。
【請求項１３】
前記ボード（３０）が、前記錠剤の取り出しを認識するためにのみ設けられ、かつ別のボードが、前記錠剤（２１）の服用サイクルをプログラミングするために前記下部（１１）に設けられ、前記両方のボードが互いに電気接触することを特徴とする、請求項１１に記載の装置。
【請求項１４】
装置用のカバー（１２、１０２）が、前記ブリスタ包装（２０）を収容するために設けられ、かつ前記ブリスタ包装（２０）から前記錠剤（２１）を押し出すための手段（１８、４３）を備え、前記手段（１８、４１）の配列が、前記収容すべきブリスタ包装（２０）内の錠剤（２１）の配列に適合されることを特徴とする、請求項１〜１３のいずれか１項に記載の装置用のカバー（１２、１０２）。
【請求項１５】
前記カバーが、センタリングされた穴（１４、４２）を有する切欠き（１３、４１）を備え、前記切欠き内に押しボタン（１８、４３）が紛失しないように収容されることを特徴とする、請求項１４に記載のカバー。
【請求項１６】
孔（１７）を有する格子またはストレーナ（１６）が設けられ、前記孔の配列が手段（１８、４３）の配列に対応することを特徴とする、請求項１４または１５に記載のカバー。
【請求項１７】
前記手段（１８、４３）が少なくとも１つの照明要素（４３’、４３”）を備えることを特徴とする、請求項１４〜１６のいずれか１項に記載のカバー。
【請求項１８】
前記手段（１８、４３）が透明の導光プラスチックから成ることを特徴とする、請求項１４〜１７のいずれか１項に記載のカバー。
【請求項１９】
前記カバーの内側に、孔を有するボード（３０）が設けられ、前記孔の配列が前記手段（１８、４３）の配列に対応することを特徴とする、請求項１４〜１８のいずれか１項に記載のカバー。
【請求項２０】
前記ボード（３０）が、前記錠剤（２１）の服用サイクルをプログラミングするために、かつ錠剤の取り出しを認識するために設けられることを特徴とする、請求項１９に記載のカバー。
【請求項２１】
前記ボード（３０）が、前記錠剤の取り出しを認識するためにのみ設けられることを特徴とする、請求項１９に記載のカバー。
【請求項２２】
前記カバーが、表示装置（１０３）、好ましくはＬＣＤ表示器、ならびに少なくとも１つのプログラムボタンおよび／または表示ボタン（１０４、１０４’、１０５、１０５’）を備えることを特徴とする、請求項１４〜２１のいずれか１項に記載のカバー。
【請求項２３】
孔（１７）を有する格子またはストレーナ（１６）が設けられ、前記孔の配列が手段（１８、４３）の配列に対応することを特徴とする、請求項１〜１３のいずれか１項に記載の装置用の下部。
【請求項２４】
前記下部が、放出空間（１１’）と放出開口部１１”とを備えることを特徴とする、請求項２３に記載の下部。
【請求項２５】
前記下部が、表示装置（１０３）、好ましくはＬＣＤ表示器、ならびに少なくとも１つのプログラムボタンおよび／または表示ボタン（１０４、１０４’、１０５、１０５’）を備えることを特徴とする、請求項２３または２４に記載の下部。
【請求項２６】
前記下部が、前記錠剤（２１）の服用サイクルをプログラミングするためのボードを備えることを特徴とする、請求項２３〜２５のいずれか１項に記載の下部。
【発明の詳細な説明】
【技術分野】
【０００１】
本発明は、ブリスタ包装を収容するための手段と、ブリスタ包装から錠剤を押し出すための手段と、服用時間を設定するための手段と、服用時間を表示するための手段とを有する、丸薬、糖衣錠等の形態も含む錠剤を放出するための装置に関する。
【背景技術】
【０００２】
同一範疇の装置が（特許文献１）から公知である。この公知の装置は、ブリスタ包装を収容するための収容部とカバー部とを備える。収容部およびカバー部には、ブリスタ包装内に収容された錠剤の高さに開口部が設けられ、この開口部を通して錠剤を押し出すことができる。装置には、プログラミング可能な電子タイマが設けられ、この電子タイマにより薬剤の服用時点に光学信号を作動できる。このために、装置のカバー部内の各開口部に、意図する薬剤の服用時に点灯する専用の光ダイオードが割り当てられる。
【０００３】
この同一範疇の装置の場合、収容部およびカバー部内の開口部の配列をそれぞれのブリスタ包装に正確に適合しなければならず、これは生産技術上高価である。さらに、開口部１つにつきそれぞれ１つの光ダイオードの割当ては高価な電子装置を必要とする。
【０００４】
【特許文献１】ＤＥ  １９８  ３６  １００  Ａ１明細書
【発明の開示】
【発明が解決しようとする課題】
【０００５】
したがって、本発明の課題は、生産技術上でも電子装備に関してもより簡単かつ廉価に製造される上述の種類の装置を提供することである。
【課題を解決するための手段】
【０００６】
解決方法は、請求項１の特徴を有する装置に存在する。すなわち、本発明によれば、装置は、下部と、下部と取り外し可能に結合されるカバーと、ブリスタ包装から錠剤を押し出すための手段とを備え、この場合、手段の配列は、収容すべきブリスタ包装内の錠剤の配列に適合されることが意図される。このようにして、本発明による装置は、装置全体を新たに製造する必要なしに、収容すべきブリスタ包装の各タイプに簡単かつ廉価に適合できる。これによって、所定のブリスタ包装に適合された個々の装置をより好都合に製造かつ提供できる。下部およびカバーは別個に製造かつ販売することもできる。
【０００７】
有利な発展形態は下位請求項から得られる。例えば、カバーは、センタリングされた孔を有する切欠きを備えることができ、この切欠き内に押しボタンが紛失しないように収容される。これによって、比較的摩耗の少ないカバー形状が可能である。
【０００８】
下部または上部はさらに少なくとも１つの支持部を備えることができ、この支持部の上に、ブリスタ包装または格子またはストレーナを置くことができ、この支持部がブリスタ包装を支持するので、錠剤を問題なく押し出すことができる。格子またはストレーナは孔を備え、この孔の配列は手段の配列に対応する。格子またはストレーナは下部または上部に配列することができる。
【０００９】
特に好ましい発展形態では、下部が放出空間と放出開口部とを備えることが意図される。これによって、紛失することなしに錠剤を問題なく押し出しおよび収容することができる。さらに、下部全体にわたるブリスタ包装の下側のカバーは衛生的であり、かつブリスタ包装の損傷により錠剤が失われないことを保証する。
【００１０】
この手段は、好ましくは少なくとも１つの照明要素を備えるので、この手段は、どの錠剤を押し出すべきかについて光学的に伝えることもできる。したがって、この手段は透明の導光プラスチックから成ることができる。
【００１１】
有利に、下部または上部には、表示装置、好ましくはＬＣＤ表示器またはＬＥＤ表示器が設けられる。さらに、少なくとも１つのプログラムボタンおよび／または表示ボタンが存在することができる。１つまたは複数のボタンを用いて、日付、時間および服用サイクルをプログラミングすることができる。正確なプログラミングは表示装置によって点検できる。表示装置は、錠剤を服用すべきときに光学信号を発信することもできる。
【００１２】
特に好ましい別の発展形態では、カバーの内側に、孔を有するボードが設けられ、この孔の配列が手段の配列に対応することが意図される。このボードは、装置をプログラミングするための１つまたは複数の回路を支持する。カバーの下方の配列は、錠剤を押し出す際に、手段の間の、例えば押しボタンとボードとの間の接触が行われることを保証するので、プログラムは錠剤の規定の取り出しを記録する。代替方法として、錠剤の取り出しの認識は、例えばキーボードを介して手動で行うこともできる。この場合、錠剤の服用サイクルのプログラミングのためにも、錠剤の取り出しの認識のためにも、ボードを用意することができる。
【００１３】
代替手段は、錠剤の取り出しを認識するためにのみボードが設けられ、また錠剤の服用サイクルをプログラミングするために別のボードが下部に設けられ、この場合、両方のボードが互いに電気接触するという点にある。このようにして、装置のすべての別形態のために、より高価な電子回路が下部に統一的に設けられ、錠剤の取り出しを認識するための簡単な電子回路のみが、交換可能な装置部分に設けられ、すなわち、各タイプのブリスタ包装のために電子回路を個別に製造すればよい。これにより、装置の製造が全体的に廉価になる。
【００１４】
本発明の実施例について、添付図を参照して以下に詳述する。
【発明を実施するための最良の形態】
【００１５】
図１ａ、図１ｂ、図２、図３および図７に示した本発明による装置１の実施態様は、フィルムヒンジによって互いに結合される下部１１とカバー１２とを有するハウジング１０から構成される。下部１１およびカバー１２は、例えばポリスチロールまたはアクリルニトリル−ブタジエン−スチロール−コポリマ（ＡＢＳ）のような食品に対し耐性のあるプラスチックから構成されることが好ましい。カバー１２および下部１１は、例えば通常のさね継ぎ閉鎖装置によって確実に互いに閉じることができる。カバー１２は取り外し可能であり、下部１１に適合する外部輪郭を有する他のカバーと交換できる。カバー１２は、センタリングされた孔１４を有する切欠き１３を備える。切欠き１３内には、頭部１８’と、頭部１８’の下側にピン１８”とを備える押しボタン１８が紛失しないように収容される。頭部１８’の外径は、最大切欠き１３の内径と同じ大きさである。ピン１８”は孔１４内に長手方向に可動に収容される。
【００１６】
下部は、その下側に任意の形態の支持部１５を備えることができるが、その必要はない。この支持部１５上に、孔１７を有する格子またはストレーナ１６を取り出し可能に置くことができる。格子１６の孔１７はカバー１２の孔１４と面一であり（カバーが閉じている場合）、ブリスタ包装２０の錠剤２１と完全に一致する（図４ａ、図４ｂ）。
【００１７】
図５と図６は組み立てられた装置１を示している。格子またはストレーナ１６は支持部１５上に置かれる。その上に、押しボタン１８を有するカバー１２によって覆われるブリスタ包装２０が位置する。下部１１が中空であり、出口開口部１１”に至る放出空間１１’を備えることが理解される。押しボタン１８を押すことによって、ピン１８”は錠剤２１の高さでブリスタ包装２０上に押圧される。ピン１８”を押すことによって、錠剤２１はブリスタ包装２０から押し出され、下側１１の空洞部内にまたそこから放出空間１１’内に落ち、また装置１から出口開口部１１”を通して振り出すことができる。
【００１８】
図示されていないが、ブリスタ包装２０内の錠剤２１の位置に対応する孔を同様に備えるボードは、カバー１２の内側に配置される。このボード上に、プログラミング可能な回路が設けられ、この回路によって、錠剤２１の服用リズムおよび服用の時点をプログラミングすることができる。ボードの外部輪郭はカバー１２の内部輪郭に対応するであろう。ボード内には、カバー１２内に配置された拡張要素にかみ合う（図示せず）切欠きがある。損傷を回避するために、ボードをカバープレートで覆うことができる。同様に、カバープレートは、上述の拡張要素にかみ合う（図示せず）収容部を備えることができる。さらに、押しボタン１８はカバープレート内に形成されるか、さもなければ紛失しないように一体化することができる。
【００１９】
押しボタン１８は、ボードに固定された光ダイオードによって照明することができ、この光ダイオードは押しボタンと並んで配置されるか、あるいは押しボタン１８の中に一体化され、押しボタン１８が、例えば透明または導光材料から構成される場合、押しボタンを点灯させる。
【００２０】
次に、カバー１２の構造的形状は、カバー１２とボードおよび格子またはストレーナ１６がユニットを形成するようになっている。ボードはカバー１２の下側に直接固定され、一方、ストレーナまたは格子１６は下部内に緩く挿入可能である。さらに、カバー１２は下部１１に取り外し可能に固定される。次に、ブリスタ包装２０内の錠剤２１の配列に応じて、カバー１２それ自体の中におよびボード内に適合する孔を有するカバー１２を下部１１に固定でき、一方、そのために適合するストレーナまたは格子１６が共に供給される。したがって、最も簡単な方法で装置１１を種々のブリスタ包装２０に適合できる。唯一配慮すべきことは、下部１１の寸法は、様々な外部輪郭または寸法を有するブリスタ包装２０を装置１によって収容できるようなものにすることである。図７には、図４ａに示したブリスタ包装としての他のブリスタ包装に適合された別のカバー１２’を備える装置１’が概略的に示されている。
【００２１】
図７は、本発明による装置１’の構造のさらなる別形態をさらに示している。この場合、装置１’は、前部１０１と後部部分１０２とから構成される。前部１０１は、ＬＣＤ表示１０３と４つのボタン１０４、１０４’、１０５、１０５’とを有する、錠剤用のアラームおよび服用時間をプログラミングするための別のボードを収容するためのハウジングから構成される。ＬＣＤ表示は、それ自体公知の方法でＬＥＤ、または照明フィルム等によって実現できる背景照明を備えることが好ましい。背景照明は、アラームまたはボタン操作の際に点灯し、かつアラームのカットオフ後あるいはボタン操作後にある程度の時間の後に、例えば５秒後に再び消えるように設定することができる。この前部１０１は、すべてのブリスタ包装２０について同一である。
【００２２】
後部１０２は、既述したように、カバー１２、１２’と、現在は所定のアラームの際に錠剤２１の取り出しの認識のみに使用されるボード３０と、必要に応じて格子またはストレーナ１６と、放出空間１１’および出口開口部１１”とから構成され、また前部１０１と機械的かつ電気的に結合され、この結果、両方のボードは電気的に接触する。次に、前部は装置の下側１１を形成する。装置１’は、前部１０１内に設けられたボードによってプログラミングされる。錠剤２１が取り出されると、プッシュボタン１８とカバー内に配列されたボード３０との電気接触が行われ、この結果、取り出しが記録され、また情報が前部１０１内に収容されたボードに供給され、プログラムによって記録される。後部部分１０２のボタンフィールド、ボード３０および必要に応じて格子またはストレーナ１６の形状は、収容すべきそれぞれのブリスタ包装２０の形状に適合される。
【００２３】
両方のボードには、例えば、ボタン電池によって電流を供給することができる。この場合、前部のプログラムボードのために、寸法１１．６×５．４ｍｍ、１２５ｍＡｈおよび３Ｖの電圧の１つまたは複数のボタン電池が設けられることが好ましく、一方、後部１０２には、認識ボード３０のために寸法１１．６×３．１ｍｍ、５０ｍＡｈおよび１．５Ｖの電圧の１つまたは複数のボタン電池を設けることができる。
【００２４】
このようにして、すべてのブリスタ包装２０のために、前部１０１内に設けられる１つの同一のプログラミングユニットで十分である。認識のためのより簡単なボード３０を有する後部は、ブリスタ包装２０の各タイプのための個別に製造される。したがって、装置１’をブリスタ包装２０の各タイプに簡単に廉価に適合させることが可能である。  
【００２５】
装置１の構造全体は比較的平坦に形成され、例えば２０〜３０ｍｍの全高を有する。
【００２６】
図８と図９は、カバー４０の別の実施態様の断面図および平面図である。カバー４０は、ブリスタ包装２０内の錠剤２１の配列によって覆われるセンタリングされた孔４２を有する切欠き４１を同様に備える。孔４２内には、頭部４４と貫通空間部４５とを備えるプッシュボタン４３が配列される。貫通空間部４５はスリーブ４７とピン４８とから構成され、この場合、ピン４８は、孔４２を縦方向移動可能に貫通する。貫通空間部４５の下側において、カバー４０の下方に押圧面４６が設けられ、この押圧面はブリスタ包装２０の包装された錠剤２１の上に位置する。さらに、一方でスリーブ４７に、他方で切欠き４１に固定されるばね４９を設けることができる。
【００２７】
プッシュボタン４３が操作されると、押圧面４６はそれぞれの錠剤２１をブリスタ包装２０から押出すので、装置１の下側１１の空洞部内の錠剤２１は、図５と図６に示したように落ちて、放出空間１１’および放出開口部１１”を介して取り出すことができる。プッシュボタン４３を操作すると、ばね４９が押しつぶされる。プッシュボタン４３を再び解放すると、プッシュボタンは、ばね４９の戻り力によってその初期位置に戻る。プッシュボタン４１の押し深さは、例えば４ｍｍであり得る。操作の際、プッシュボタン４１は（認識）ボード３０に接触するので、錠剤取り出しはプログラムによって記録される。
【００２８】
図８から、カバー４０の真下に（認識）ボード３０が配列されていることがさらに明らかである。ボード３０は、ブリスタ包装２０内の錠剤２１の配列によって覆われる孔を備える。ブリスタ包装２０は、錠剤２１がボード３０の孔を通して突出して、プッシュボタン４１の押圧面４６と接触するようにボード３０の下に配列される。ブリスタ包装２０の下には、既述した格子またはストレーナ１６が配列される。装置を充填するために、ブリスタ包装２０は、錠剤２１がボード３０内の孔にほぼ「かみ合う」ようにボード３０上に置かれる。次に、格子またはストレーナ１６は、ブリスタ包装２０の下側に載置され、例えば、格子またはストレーナ１６内に設けられた別の切欠きによって、カバー４０の下側に設けられた拡張要素とロックされる（図示せず）。
【００２９】
図９は、図８に示したカバー４０の実施態様の平面図であり、この平面図から、ボタン４１の頭部４３に照明リング４３’または照明点４３”を装備できることが理解される。頭部４３が光を導く無色のプラスチックから構成される場合、これによって、頭部４３全体またはボタン４０全体が照明される。プログラミングは、個々に操作されるボタン４０の頭部４３が常に正確に照らされるように行われる。    
【００３０】
図１０と図１１は、本発明による装置用のＬＣＤインジケータの２つの実施態様を示している。ＬＣＤインジケータは、例えばベルまたはスマイルマークのようなアラーム記号と、時間および分の時間データ、日、月および必要に応じて年の日付データと、必要に応じて短縮形態の７つの週日のデータとを含み、この場合、現在の週日は下線、より肉太の文字等によって強調すべきであろう。
【００３１】
アラーム表示は次のように形成することができる。アラームがプログラミングされていない場合、表示は現れない。アラームがプログラミングされかつ起動されると、ベルの外部輪郭または微笑する顔付きのスマイルマークが現れる。アラーム時間に達すると、完全に充填された、必要に応じて点滅するベル記号、または必要に応じて悲しい顔付きの点滅するスマイルマークが現れる。さらに、それ自体公知の方法でピエゾ素子によって聴覚信号を作動できる。この信号がミュートに切り換えられると、それぞれのベル記号またはそれぞれのスマイルマークは、点線でまたは破線でまたは抹消されたように現れる。さらに、別の視覚信号、すなわち放出すべき錠剤のために必要に応じて点滅するボタンの照明を用意することができる。錠剤取り出しの認識後に、（認識）ボード３０を介して、聴覚信号および視覚信号が遮断され、ベルの外部輪郭または微笑する顔付きのスマイルマークが再び現れる。多様なアラーム信号は認識まで連続的に作動でき、すなわち、ボタンの聴覚信号および照明は、電流を節約するために、制限された期間、例えば１〜５秒にわたって作動し、また錠剤取り出しの認識まで、ある程度の時間間隔、例えば５〜３０分繰り返すことができる。
【００３２】
プログラマの評価の際に位置するボタンの割当て１０４、１０４’、１０５、１０５’によって、時間、日付、必要に応じて週日ならびに服用サイクル（アラームの時間、アラームの日付、必要に応じてアラームの週日）を調整することができる。開けられたブリスタ包装２０が挿入されたときまたは電池交換の後に、次のアラームの際に押すべきプッシュボタンをなお調整することができる。
【００３３】
本発明による装置１は、補助機能の装備に関し変更することもできる。これに関する実施例について以下に説明する。
【００３４】
別形態１
この実施態様により、必要な機能を有する本発明による装置が提供される。この別形態の実施例は次のように形成することができるであろう。
【００３５】
カバー１２、１０２は、ブリスタ包装２０の位置ずれを阻止するようにブリスタ包装２０を収容するために、正確に寸法決めされた区画を含む。格子またはストレーナ１６は、カバー１２、１０２内に可動に設けることはできず、例えば遊びなしに左揃えに固定することができる。この場合、ボタンロックは、格子またはストレーナを介して行われず、カバーキャップを用いてボタンを介して行われる。カバーキャップは、例えばヒンジ部に固定され、カバー全体を覆う（図示せず）。格子またはストレーナ１６が固定されることによって、放出開口部１１’をじょうご状に形成するために利用できる数ミリメートルの場所が獲得され、錠剤２１の取り出しが容易になり、振ることはほとんど必要でない。他のフォーマットでブリスタ包装２０を差し込む場合、本実施例では、カバー１２、１０２ならびに格子またはストレーナ１６を交換する必要がある。この場合、下部１１、１０１を維持できる。本実施例では、無資格アクセスに対するブリスタ区画の保護は、省略される。
【００３６】
さらなる簡易化は、押すべきボタン１８、４３を表示するための照明手段４３’、４３”が、ボタンのほかにＬＥＤによって実現されることにあり得る。電池の寿命を延ばすために、２ｍＡの電力消費の低電流のＬＥＤを使用することが推奨される。特に推奨されるのは、より高いそれらの発光効率のため赤色ＬＥＤである。
【００３７】
放出機構として、上述の別形態（１つの錠剤当たり１つの押しピン）を使用することが好ましい。上にすでに説明したように、手段１８、４３は、アラーム認識用のボタンを押した際に対応するＬＥＤ回路が開くように構成すべきであろう。これに関する一例は、図１５に概略的に示されている。押しピンおよび上側２０１を備えるボタン２００が重要である。押しピンと上側２０１との間には、導電性の周囲リングが組み込まれる。押しピンはカバー１２、１０２を通して突出し、その自由端部において、クリップ留めされたロック部によって転がり落ちが防止される。押しピンは、シャドーマスク上に置かれたブリスタに対して正確に、あるいはこのブリスタ内に収容された錠剤に対して正確に位置する。カバー１２、１０２内では、周囲リングに対してストリップ導体面が組み込まれる。上側２０１は、周囲の引き戻しばねによってカバー１２、１０２から離間されるので、周囲リングとストリップ導体面との間の思いがけない接触は行われない。ばねは、例えば周囲フランジによって固定される。次に、錠剤をブリスタから押し出すために、上部２０１が押されると、周囲リングとストリップ導体面との間に電気接触が行われる。これによって信号が供給され、エレクトロニクス回路内でアラーム認識（アラームが認識され、錠剤が取り出された）として理解される。これによって、アラームが実施されたので、この時点に必要な錠剤取り出しに関するアラームメッセージが終了される。
【００３８】
周囲リングおよび周囲ばねの代わりに、取り囲まない伝導性の部分面および個々のばねも、もちろん考えられる。
【００３９】
本実施例では、個々のボタンの解除が省略されるが、これは、開発および生産のため、そのことがより高いコストをもたらすからであり、さらに、個々のボタンのロックおよび解除のための装置のため、より高い電力消費が生じるからである。
【００４０】
大部分のマイクロコントローラは、直接にＵＳＢ両立性でないので、装置１へのコンパクトなプラグにより、また外部入力装置への従来のシリアルプラグにより、シリアルアダプタケーブルの使用を考慮すべきであろう。ＵＳＢ互換性のＭＣＵを利用する場合、もちろんＵＳＢインタフェースも使用することができる。
【００４１】
基本的に、非常に多くのマイクロコントローラを選択できる。この場合、ボードに装着される装置、およびクロノメータおよび必要に応じて電圧センサを含むメモリチップが対象とされる。メモリチップには、必要とされるソフトウェアプログラムおよび服用計画が記憶される。
【００４２】
十分な数のＩ／Ｏピンを利用でき、さらに上方シェル内のＬＥＤの電気供給も可能にするマイクロコントローラが優先される。必要とされるピンの数は、最終的に、他のどのような構成要素（例えば、どのようなディスプレイ）を使用するかにも左右される。しかし、大まかに見積もって例えば次のものが必要である。
【００４３】
最高３１のボタンを制御するために、６つのピンが必要である（マルチプレクサを介した電気供給用に５つのピン、対応するボタンが押されたかどうかに関する問い合わせ用に１つのピン）。回路の基本構想は図１２に明瞭に示されている。マイクロコントローラの５つの出力ライン１０１は、ＬＥＤ１０３の電源に使用される。スペースの理由から、例えば２つのＬＥＤのみが示されている。さらに、ラインは、どのボタンを制御すべきかに関する情報をマルチプレクサ１０２に伝送する。５つのラインを用いて、２５＝３２の状態が実現される。しかし、状態０００００では、電流は流れないので、このようにして最大３１のダイオードを制御することができる。マルチプレクサ１０２は、具体的なアラームの際にも応答するダイオードのみを通して進入電流が流れるように働く。ＭＣＵの出力電圧は、ダイオードと後接続の抵抗１０７とを介して低下する。したがって、分岐点１０４で、マイクロコントローラの出力電圧の一部分である電圧が測定される。錠剤放出ボタンの操作によって、対応するスイッチ１０５が閉じられ、この結果、１０４で測定された電圧は、次に、マイクロコントローラの入力部１０６に印加される。コントローラ側の入力ピンが、十分に大きな入力抵抗を利用できることが前提とされる。このようにして、マイクロコントローラはボタンが操作されたことを知り、アラームおよびダイオードをカットオフすることができる。この場合に注意しなければならない１つの問題は、電圧１０４が、「１」信号として一義的に識別されるには、場合によっては十分に高くないという点にある。この状況が存在するならば、選択された入力ピンは、部分電圧も識別できるＡ／Ｄコンバータでなければならない。低電流のＬＥＤの電力消費は通常２ｍＡであり、さもなければ典型的に１０ｍＡである。別のピンは、圧電式ビーパの制御に使用される。３つのピンは、手動プログラミング用の３つの押しボタンのために必要であり、２つの別のピンは、シリアルインタフェースの制御のために必要である。ＬＣＤディスプレイ用のピンの数は、最終的にモデルの選択に左右される（インターネットからの典型的なディスプレイは例えば１１ピンを必要とする）。２つの別のピンは、外部クォーツ（寸法約８＊３．７＊１．８ｍｍ）の接続のために必要である。したがって、約２３ピンが必要となるであろう。マイクロコントローラを選択する際、装置の時間平均した総電力消費は、約１年の電池の寿命（約３００ｍＡの円形電池）を保証する閾値を超えるべきでないことに注意すべきであろう。上述の要求基準を非常によく満たし、かつ廉価であるマイクロコントローラは、マイクロチップ技術（Ｍｉｃｒｏｃｈｉｐ  Ｔｅｃｈｎｏｌｏｇｙ）のモデルＰＩＣ１６Ｆ８７１であろう。同様に、モデルＰＩＣ１８Ｆ４２２０が適切であり、さらに高性能であるが、市場ではまだ入手できない。このモデルは、電池電圧の測定のために取り付けられたセンサを利用でき、このセンサによって全体の運転電圧範囲を検出できる。さらに、このモデルにより、ソフトウェア制御による発振器周波数の高速マッチングが可能である。内部発振器の精度は１％に過ぎない。さらに、このモデルは非常にコンパクトなＱＦＮパッケ���ジとして供給できるであろう。
【００４４】
特に簡単な形成は、例えばインタフェースを介して医者によって送信されるコードを用いた、手動操作部のソフトウェア制御によるカットオフである。使用するマイクロコントローラがこのことを補助するならば、正確なコード入力に従ってＥＥＰＲＯＭデータメモリ用のロックビットを然るべく設定することで十分である。
【００４５】
ユーザにより入力されたデータおよび時間を記憶するために、マイクロコントローラにも統合可能である例えばより廉価なフラッシュメモリが適切である。代わりに、幾分より高価なＥＥＰＲＯＭメモリも考えられる。両方のメモリの種類は、電源故障の際にも記憶されたデータを保持し、電池交換可能が問題なく可能である。
【００４６】
必要に応じてフレキシブルなアラーム機能を制御するには、市販のソフトウェアで十分である。音発生は、例えば圧電式ビーパによって行われる。アラーム認識は、ボタンを押すことによって、電圧がマイクロコントローラの規定のピンに印加されるように行うことができる。
【００４７】
電源用には、市販の電池が使用される。当然、約１年の寿命が好ましいので、ボタン電池と比べて、円形電池（例えば２つの１．５Ｖ円形電池）の方が好ましい。当然、このために、電池を収容するために下部１１、１０１を然るべく適合させなければならない。ＬＣＤディスプレイが下げられない場合、電池用の追加の滞留空間が得られる。しかし、円形電池よりも小さく、より短い寿命の超小型電池（寸法ＡＡＡ）も同様に適切である。使用するマイクロコントローラが、統合された電圧センサを利用できない場合、電池の性能を監視するために追加の電圧センサを利用できなければならない。電池交換の際のデータ記憶は、マイクロコントローラのＥＥＰＲＯＭを介して行われる。
【００４８】
時計の制御は、マイクロコントローラを介して行うことができる。より優れた精度を達成するために、通常操作では外部クォーツをタイマとして利用できる。
【００４９】
表示機能のために、簡単なＬＣＤディスプレイ、必要に応じて１つのみのＬＥＤディスプレイさえも選択される。このディスプレイは廉価であり、消費電流も僅かである。
【００５０】
別形態２
この別形態２は上述の別形態１の実施例に対応するが、さらなる機能を含み、以下にそれについて説明する。
【００５１】
ブリスタ区画は、簡単なロックを用いて無資格アクセスを防止できる。考えられる解決方法は、節約服用で使用されるようなロックであろうが、これは、ロックそれ自体のためのスペースがほとんど必要とされないからである。電源としては、従来の電池の代わりに環境に優しい電池の方が好ましい。計時は、時間送信機（電波時計）との電波調整によって補助することができる。追加の照明コンポーネントとしては、カバー１２、１０２の外側に白熱電球を格納することができる。白熱電球は、例えばキーファインダとして、または非常の場合の読取りランプとして使用することができる。
【００５２】
カバー１２、１０２または下部１１、１０１には、収集用の画像テーブル、様々な色のカバーのような設計用途、キー用タグ等の装着をさらに可能にする差し込み装置を設けることができる。
【００５３】
カバー１２、１０２の内部には、ボタンの上方に、名刺または非常予備の金を収容するための区画を格納することができる。このための簡単な解決方法は、自動車シートの背面に時折見られるような閉鎖用のストレッチゴム付き材料ポケットである。この材料ポケットは、それらの１つまたは複数のエッジにより、カバー１２、１０２の内側に固着することができる。
【００５４】
別形態３
別形態３は、上述の別形態２に対してなおいくつかの補助機能をさらに備える。
【００５５】
別形態３は、好ましくは高価な材料から製造され、代表的な外観を有する。例えば、外部ケースをステンレス鋼で形成するか、木製とすることが考えられる。装置全体は、豪華な別形態では、多くの補助機能のため他の両方の場合よりも大きい。これは、図１３と図１４に部分的に概略的に示されている。
【００５６】
薬の交換の際に、カバー１２、１０２全体を交換する必要がないように、下部１１、１０１およびカバー１２、１０２の分離の場合に行われるよりも、可変の構成要素が「一定の構成要素」からさらにより強く分離されるように設計することができる。このため、カバー１２、１０２のモジュール式の構造がそれ自体に提供される。このことは、次のように形成できるであろう。
【００５７】
放出ボタン１８、４３と、照明要素４３’、４３”と、放出ボタン１８、４３を案内するための上部シャドーマスクが存在するボードの部分とを含むモジュール「ボタンフィールド」が設けられる。カバー１２、１０２の残りの構成要素を有する第２のモジュールは、マイクロプロセッサ、ディスプレイまたはタッチスクリーンならびに必要に応じて高価なケース（ボタン１８、４３の直接範囲以外）を含み得る。モジュールは、互いの中にかみ合うように構成することが好ましい。この場合、必要なすべての電子的接続のために、プラグも用意することができる。
【００５８】
照明は、ボタン１８、４３の側の照明手段４３’、４３”によってではなく、ボタン１８、４３それ自体の中のＬＥＤのような照明手段４３’、４３”によって行うことができる。低コストバージョンのために提案されたスイッチ装置は、照明手段が現在ボタン内に位置し、かつボタンによる接触を介して電流を導かなければならない場合にのみ、維持することができる。
【００５９】
ユーザ側のプログラミングは、フレキシブルディスプレイとして同時に利用できる、画素ベースのタッチスクリーンを介して行うことができる。プログラムボタンを省略することによって、ディスプレイを相応により大きく形成することができる。服用計画の高速無線プログラミングのために、ブルーツースインタフェースが使用することができる。音発生のために、側方に取り付けられた小さなスピーカを使用することができる。
【００６０】
電源のために、好ましくは下方シェル内に組み込まれた充電池、例えば、本発明による装置内に組み込まれた移動電話の充電池が、組み込まれる。充電は、内蔵充電器付きペデスタルを介しても、装置の作動によっても行われる。最後に述べた機能は、当然、追加装置のために発生電流が十分でない場合に、電気供給により専用のタイマ操作を補助するためにのみ適切である。
【００６１】
下部１１、１０１の背面には、移動電話（充電池、アンテナ送信機等）の重要な構成要素が存在することができる。しかし、操作は、本発明による装置のタッチスクリーンを介して行うことができる。移動電話の大きな送信出力のため、思いがけない作動障害またはデータ変更を完全に排除可能にするために、マイクロコントローラをシールドすることが得策であろう。シールド部を貫通する入出力ラインには、場合によっては、移動電話周波数をフィルタ処理するために、フィルタを取り付けなければならない。充電池を充電するには、ペデスタル付き充電ステーションまたは充電ケーブルが適切である。
【００６２】
本発明による装置内に、ラジオを組み込みことができる。次に、ラジオ用のスピーカは、ハウジングの側面に取り付けることができ、他方、ラジオ用の電子回路はカバー１２、１０２内に格納することができる。操作は、同様にタッチスクリーンを介して行うことができる。
【００６３】
画素ベースのディスプレイは、より簡単なゲームの記載に適切であるように設計することができる。そのために提供されるゲームは、パックマン、タマゴッチ、テトリスおよびその他多数である。追加の照明コンポーネントとして、ハンドヘルドコンピュータにおける特殊ピンと同様に、ピン状のポケットライトを側面に留めることができる。    
【００６４】
個々の別形態の特徴について、添付の付属書１に再度要約する。付属書２において、さらなる実現手段と共にこの別形態を記載する。
【００６５】
様々な別形態について記載した特徴は、当然、任意の方法で互いに組み合わせることができる。
【００６６】
付属書１
部分機能の要約、別形態１
−正確に形成された窪部内のブリスタの収容
−上方シェルの交換による新しいブリスタフォーマットへの適合
−ボタンと並んで位置するＬＥＤによる押すべきボタンの表示
−各錠剤の上方に押出しキーが正確に位置
−ボタンロックは、ボタン上方のカバーを用いて実施
−先が尖った開口部により錠剤の取り出しが容易
−４つの操作ボタンを介して手動プログラミングを実施
−コンピュータインタフェースは、例えばシリアルインタフェースはＭＣＵに調整。
−マイクロコントローラのＥＥＰＲＯＭに服用計画を記憶−考えられるコントローラ、例えばマイクロチップＰＩＣ１６Ｆ８７１／ＰＩＣ１８Ｆ４２２０
−手動操作部のソフトウェア制御によるロック
−圧電式ビーパを介したアラーム生成
−ボタンの接点によるアラーム認識
−通常の電池（円形、必要に応じて超小型）を介した給電
−電池がなくなった場合のアラーム機能は、マイクロコントローラ（ＰＩＣ１８Ｆ４２２０と結合）によって実施
−電池交換の際のデータ記憶は、ＥＥＰＲＯＭにより確保
−計時は、外部クロック発生器（精度）と結合したマイクロコントローラのタイマを介して実施
−時間表示は、従来のＬＣＤディスプレイ（画素ベースでない）を介して実施
【００６７】
部分機能の要約、別形態２
−正確に形成された窪部内のブリスタの収容
−アクセスからブリスタ区画を保護するためのロック
−上方シェルの交換による新しいブリスタフォーマットへの適合
−ボタンと並んで位置するＬＥＤによる押すべきボタンの表示
−各錠剤の上方に押出しキーが正確に位置
−ボタンロックは、ボタン上方のカバーを用いて実施
−先が尖った開口部により錠剤の取り出しが容易
−４つの操作ボタンを介して手動プログラミングを実施
−コンピュータインタフェースは、例えばシリアルインタフェースはＭＣＵに調整
−マイクロコントローラのＥＥＰＲＯＭに服用計画を記憶
−考えられるコントローラ、例えばマイクロチップＰＩＣ１６Ｆ８７１／ＰＩＣ１８Ｆ４２２０
−手動操作部のソフトウェア制御によるロック
−圧電式ビーパを介したアラーム生成
−ボタンの接点によるアラーム認識
−充電池（円形、必要に応じて超小型）を介した給電
−電池がなくなった場合のアラーム機能は、マイクロコントローラ（ＰＩＣ１８Ｆ４２２０と結合）によって実施
−電池交換の際のデータはＥＥＰＲＯＭに確保
−計時は、マイクロコントローラのタイマを介して実施
−受信機によって、信号が時間送信機から呼び出され、このようにして時間が更新（夏時間の自動切換え、電池交換後の時間更新）
−時間表示は、従来のＬＣＤディスプレイ（画素ベースでない）を介して実施
−交換可能な、差し込み設計用途
−名刺、金等のためのフラップカバーの内側の材料ポケット
−非常用照明としての外側の白熱電球
【００６８】
部分機能の要約、別形態３
−正確に形成された窪部内のブリスタの収容
−アクセスからブリスタ区画を保護するためのロック
−ボタンフィールドの交換による新しいブリスタフォーマットへの適合
−ボタン内のＬＥＤによる押すべきボタンの表示
−各錠剤の上方に押出しキーが正確に位置
−ボタンロックは、ボタン上方のカバーを用いて実施
−先が尖った開口部により錠剤の取り出しが容易
−手動プログラミングは、タッチスクリーンを介して実施
−ブルーツースによる無線データ伝送
−マイクロコントローラのＥＥＰＲＯＭに服用計画を記憶
−考えられるコントローラ、例えばマイクロチップＰＩＣ１８Ｆ４２２０
−手動操作部のソフトウェア制御によるロック
−アクティブボックスを介したアラーム生成
−ボタンの接点によるアラーム認識
−側方のアクティブボックスを有する、上方シェルに一体化されたラジオ
−タッチスクリーン（テトリス、タマゴッチ、パックマン）を用いたゲーム機能
−外側に留められたポケットライト
−名刺、金のためのフラップカバーの内側の材料ポケット
−充電池（円形、必要に応じて超小型）を介した給電
−充電器付きペデスタル
−偏心ウェイトによる運動時の充電
−電池がなくなった場合のアラーム機能は、マイクロコントローラ（ＰＩＣ１８Ｆ４２２０と結合）によって実施
−電池交換の際のデータはＥＥＰＲＯＭに確保
−計時は、マイクロコントローラのタイマを介して実施
−受信機によって、信号が時間送信機から呼び出され、このようにして時間が更新（夏時間の自動切換え、電池交換後の時間更新）
−画素ベースのタッチスクリーンを介した関連するすべての情報の表示
−下方シェルのＧＳＭ移動電話（操作はタッチスクリーンを介して実施）
【００６９】
付属書２
【表１】
2005522300.tif 000003
【００７０】
【表２】
2005522300.tif 000004
【００７１】
【表３】
2005522300.tif 000005
【００７２】
【表４】
2005522300.tif 000006
【００７３】
【表５】
2005522300.tif 000007
【００７４】
【表６】
2005522300.tif 000008
【００７５】
【表７】
2005522300.tif 000009
【００７６】
【表８】
2005522300.tif 000010
【００７７】
【表９】
2005522300.tif 000011
【００７８】
【表１０】
2005522300.tif 000012
【００７９】
【表１１】
2005522300.tif 000013
【００８０】
【表１２】
2005522300.tif 000014
【００８１】
【表１３】
2005522300.tif 000015
【図面の簡単な説明】
【００８２】
【図１ａ】本発明による装置の第１の実施態様の縮尺通りでない概略平面図である。
【図１ｂ】図１ａに基づく装置用の押しボタンの縮尺通りでない概略側面図である。
【図２】請求項１に記載の開口状態の装置の縮尺通りでない概略平面図である。
【図３】ブリスタ包装用の挿入された下敷きを有する図２による縮尺通りでない概略図である。
【図４ａ】ブリスタ包装の縮尺通りでない概略平面図である。
【図４ｂ】図４ａのブリスタ包装の縮尺通りでない概略側面図である。
【図５】図１の線Ｖ−Ｖに沿った断面図である。
【図６】図１の線ＶＩ−ＶＩに沿った断面図である。
【図７】本発明による装置の第２の実施態様の縮尺通りでない概略平面図である。
【図８】本発明による装置用のカバーの別の実施態様の縮尺通りでない概略断面図である。
【図９】図８のカバーの縮尺通りでない概略平面図である。
【図１０】ディスプレイの第１の実施態様の縮尺通りでない概略詳細図である。
【図１１】ディスプレイの第２の実施態様の縮尺通りでない概略詳細図である。
【図１２】本発明による装置用の回路の概略図である。
【図１３】別の実施態様の下部概略図である。
【図１４】図１３の実施態様のカバーの概略図である。
【図１５】フィードバック機構を有するボタンの概略図である。
【図１ａ】
2005522300.tif 000016
【図１ｂ】
2005522300.tif 000017
【図２】
2005522300.tif 000018
【図３】
2005522300.tif 000019
【図４ａ】
2005522300.tif 000020
【図４ｂ】
2005522300.tif 000021
【図５】
2005522300.tif 000022
【図６】
2005522300.tif 000023
【図７】
2005522300.tif 000024
【図８】
2005522300.tif 000025
【図９】
2005522300.tif 000026
【図１０】
2005522300.tif 000027
【図１１】
2005522300.tif 000028
【図１２】
2005522300.tif 000029
【図１３】
2005522300.tif 000030
【図１４】
2005522300.tif 000031
【図１５】
2005522300.tif 000032
【国際調査報告】
2005522300.tif 000033
2005522300.tif 000034
2005522300.tif 000035
2005522300.tif 000036
2005522300.tif 000037
2005522300.tif 000038